(57)【要約】      （修正有）【課題】色変換を符号化する方法を提供する。【解決手段】方法は、少なくとも１つの色変換によってリマップされる色出力復号ピクチャのビデオ信号特性を表す第１のパラメータを符号化するステップ１００と、少なくとも１つの色変換を表す第２のパラメータを符号化するステップ１０２と、を含む。【選択図】図３
2019062572.tif 000002
【特許請求の範囲】
【請求項１】
少なくとも１つの色変換を符号化する方法であって、
前記少なくとも１つの色変換によってリマップされる色出力復号ピクチャのビデオ信号特性を表す第１のパラメータを符号化するステップ（１００）と、
前記少なくとも１つの色変換を表す第２のパラメータを符号化するステップ（１０２）と、
を含む方法。
【請求項２】
前記第１及び第２のパラメータが補足強化情報メッセージ内において符号化される、請求項１に記載の方法。
【請求項３】
少なくとも第１及び第２の組の第２のパラメータが符号化され、前記第１の組が第１の色変換を表し、前記第２の組が第２の色変換を表し、前記第１のパラメータが、前記第１の色変換によってリマップされ、その後に前記第２の色変換によってリマップされる色出力復号ピクチャのビデオ信号特性を表す、請求項１または２に記載の方法。
【請求項４】
少なくとも１つの色変換を復号する方法であって、
前記少なくとも１つの色変換によってリマップされる色出力復号ピクチャのビデオ信号特性を表す第１のパラメータを復号するステップ（２００）と、
前記少なくとも１つの色変換を表す第２のパラメータを復号するステップ（２０２）と、
を含む、方法。
【請求項５】
色ピクチャを復号するステップと、
前記少なくとも１つの色変換を用いて前記色復号ピクチャを色マップ済み出力復号ピクチャにリマップするステップと、
を更に含む、請求項４に記載の方法。
【請求項６】
前記色マップ済み出力復号ピクチャと前記第１のパラメータとを送信するステップを更に含む請求項５に記載の方法。
【請求項７】
前記第１及び第２のパラメータが補足強化情報メッセージから復号される、請求項４から６のうちの任意の請求項に記載の方法。
【請求項８】
少なくとも第１及び第２の組の第２のパラメータが復号され、前記第１の組が第１の色変換を表し、前記第２の組が第２の色変換を表し、前記第１のパラメータが、前記第１の色変換によってリマップされ、その後に前記第２の色変換によってリマップされる色出力復号ピクチャのビデオ信号特性を表す、請求項４から７のうちの任意の請求項に記載の方法。
【請求項９】
色マップ済み出力復号ピクチャと該色マップ済み出力復号ピクチャのビデオ信号特性を表す第１のパラメータとを受信するステップと、
前記第１のパラメータを用いて前記色マップ済み出力復号ピクチャを表示するステップと、
を含む表示の方法。
【請求項１０】
少なくとも１つの色変換を符号化する符号化器であって、
前記少なくとも１つの色変換によってリマップされる色出力復号ピクチャのビデオ信号特性を表す第１のパラメータを符号化する手段と、
前記少なくとも１つの色変換を表す第２のパラメータを符号化する手段と、
を備えた符号化器。
【請求項１１】
少なくとも１つの色変換を復号する復号器であって、
前記少なくとも１つの色変換によってリマップされる色出力復号ピクチャのビデオ信号特性を表す第１のパラメータを復号する手段と、
前記少なくとも１つの色変換を表す第２のパラメータを復号する手段と、
を備えた復号器。
【請求項１２】
色ピクチャを復号する手段と、
前記少なくとも１つの色変換を用いて前記色ピクチャを色マップ済み出力復号ピクチャにリマップする手段と、
を更に備えた、請求項１１に記載の復号器。
【請求項１３】
前記色マップ済み出力復号ピクチャと前記第１のパラメータとを送信する手段を更に備えた、請求項１２に記載の復号器。
【請求項１４】
色マップ済み出力復号ピクチャと該色マップ済み出力復号ピクチャのビデオ信号特性を表す第１のパラメータとを受信する手段と、
前記第１のパラメータを用いて前記色マップ済み出力復号ピクチャを表示する手段と、
を備えた表示装置。
【請求項１５】
少なくとも１つの色変換を表す符号化ビデオ信号であって、前記少なくとも１つの色変換によってリマップされる色出力復号ピクチャのビデオ信号特性を表す第１のパラメータと前記少なくとも１つの色変換を表す第２のパラメータとを含むビデオ信号。
【請求項１６】
前記符号化ビデオ信号が補足強化情報メッセージである、請求項１５に記載のビデオ信号。
【請求項１７】
コンピュータのプログラムの製品であって、該プログラムがコンピュータ上で実行される際に、請求項１から３の任意の請求項に記載の符号化の方法のステップを実行するためのプログラム・コード命令を含むコンピュータ・プログラム製品。
【請求項１８】
請求項１から３の任意の請求項に記載の符号化の方法の少なくともステップをプロセッサに行わせるための命令を記憶したプロセッサ可読媒体。
【請求項１９】
コンピュータのプログラムの製品であって、該プログラムがコンピュータ上で実行される際に、請求項４から８の任意の請求項に記載の復号の方法のステップを実行するためのプログラム・コード命令を含むコンピュータ・プログラム製品。
【請求項２０】
請求項４から８の任意の請求項に記載の復号の方法の少なくともステップをプロセッサに行わせるための命令を記憶したプロセッサ可読媒体。
【発明の詳細な説明】
【技術分野】
【０００１】
本発明は、色変換符号化に関する。具体的には、色変換を符号化する方法、それに対応する復号方法、符号化機器、及び、復号機器を開示する。
【背景技術】
【０００２】
復元画像を端末機器のディスプレイに描画することは、終端間サービスの品質を保証するために極めて重要である。しかしながら、これは、色フォーマット、撮像機能、及び、ディスプレイ特性が広範囲に及ぶので、容易な作業ではない。最近、ＩＴＵ（国際電気通信連合）によって、２０１２年４月に公開された「Ｐａｒａｍｅｔｅｒ  ｖａｌｕｅｓ  ｆｏｒ  ＵＨＤＴＶ  ｓｙｓｔｅｍｓ  ｆｏｒ  ｐｒｏｄｕｃｔｉｏｎ  ａｎｄ  ｉｎｔｅｒｎａｔｉｏｎａｌ  ｐｒｏｇｒａｍｍｅ  ｅｘｃｈａｎｇｅ（再生及び国際番組交換のためのＵＨＤＴＶシステム用パラメータ値）」という表題のドキュメントＩＴＵ―Ｒ勧告ＢＴ.２０２０（Ｒｅｃ.２０２０として周知されている)において、新たな、より広いカラー・スペース（色空間）フォーマットが提案されている。したがって、従来型機器との互換性を検討する必要がある。全ての描画機器が、任意の色空間に適合する機能を備えているわけではなく、また、最適な色変換を行うために必要な情報を有しているわけでもない。実際、色をクリッピングする（図１の左部分）よりも、例えば図１の右部分に例示されているような適切なカラー・シェーディング（ｃｏｌｏｕｒ  ｓｈａｄｉｎｇ）が好まれるであろう。色変換関数の決定は簡単明瞭ではなく、その理由は、コンテンツ作成ワークフローには、決定論的処理（色空間１から色空間２への変換）も含まれるが、また、例えばカラー・グレーディング（ｃｏｌｏｕｒ  ｇｒａｄｉｎｇ）のような非決定論的作業も含まれることがあるためである。特性の異なる２つの対象ディスプレイ（例えば、ＵＨＤＴＶディスプレイとＲｅｃ.７０９ＨＤＴＶディスプレイ）を使用する場合、美術的意図とカラー・グレーディングの両方が異なることがある。カラー・グレーディングは、コンテンツ特性と参照ディスプレイの両方に依存する。
【０００３】
図２に示されているように、ビデオ・コンテンツ配信において、色変換は、通常、マップ済み復号ピクチャが端末機器の描画機能に適応するように、復号ピクチャに適用される。
【０００４】
Ｃｏｌｏｕｒ  Ｍａｐｐｉｎｇ  Ｆｕｎｃｔｉｏｎ（ＣＭＦ）（色マッピング関数）としても知られているこの色変換は、例えば、３×３ゲイン・マトリクス・プラス・オフセット（Ｇａｉｎ―Ｏｆｆｓｅｔ  ｍｏｄｅｌ（ゲイン−オフセット・モデル））によって、あるいは、３Ｄ  Ｃｏｌｏｕｒ  ＬＵＴ（３Ｄ色ＬＵＴ）によって概算される。
【０００５】
したがって、色変換を、帯域外で送信される可能性のあるビット・ストリーム内において、例えば３ＤＣｏｌｏｕｒＬＵＴの形態に、符号化する必要がある。これによって、必要な柔軟性と更なる特徴を、ＨＥＶＣ及びＳＨＶＣビデオ符号化規格に加えて各種アプリケーション及びサービスに、提供できる。
【０００６】
１つのソリューションは、色変換、すなわち、更に一般的に言えば、カラー・メタデータをプライベート・ストリームにおけるトランスポート・システム・レベルで送信することである。しかしながら、送信システムの大部分は、それらのメタデータの解釈の仕方を知らないので、それらを破棄している。
【発明の概要】
【０００７】
本発明の目的は、従来技術の欠点の少なくとも１つを解消することである。
【０００８】
少なくとも１つの色変換を符号化する方法を開示する。この方法は、該少なくとも１つの色変換によってリマップされる色出力復号ピクチャのビデオ信号特性を表す第１のパラメータを符号化するステップと、上記少なくとも１つの色変換を表す第２のパラメータを符号化するステップと、を含む。
【０００９】
少なくとも１つの色変換を符号化する符号化器であって、該少なくとも１つの色変換によってリマップされる色出力復号ピクチャのビデオ信号特性を表す第１のパラメータを符号化する手段と、上記少なくとも１つの色変換を表す第２のパラメータを符号化する手段と、を備えた符号化器を開示する。
【００１０】
少なくとも１つの色変換を復号する復号器であって、該少なくとも１つの色変換によってリマップされる色出力復号ピクチャのビデオ信号特性を表す第１のパラメータを復号する手段と、上記少なくとも１つの色変換を表す第２のパラメータを復号する手段と、を備えた復号器を開示する。
【００１１】
少なくとも１つの色変換を表す符号化ビデオ信号は、該少なくとも１つの色変換によってリマップされる色出力復号ピクチャのビデオ信号特性を表す第１のパラメータと上記少なくとも１つの色変換を表す第２のパラメータとを含む。
【００１２】
利点として、第１及び第２のパラメータは、補足強化情報メッセージ内において符号化され、該補足強化情報メッセージから復号される。
【００１３】
一変形実施形態に従えば、少なくとも第１及び第２の組の第２のパラメータが符号化され、上記第１の組は第１の色変換を表し、上記第２の組は第２の色変換を表し、上記第１のパラメータは、上記第１の色変換によってリマップされ、その後に上記第２の色変換によってリマップされる色出力復号ピクチャのビデオ信号特性を表す。
【００１４】
コンピュータのプログラムの製品を開示する。該コンピュータ・プログラム製品は、該プログラムがコンピュータ上で実行される際に、上記符号化の方法、あるいは、上記復号の方法の全ステップを実行するためのプログラム・コード命令を含む。
【００１５】
上記符号化の方法、あるいは、上記復号の方法の少なくとも全ステップをプロセッサに行わせるための命令を記憶したプロセッサ可読媒体を開示する。
【図面の簡単な説明】
【００１６】
本発明のその他の特徴と利点は、下記の図面に関連して為された、本発明の一部の実施形態の以下の説明により明らかになるであろう。
【図１】クリッピング（左側）による又は全範囲圧縮（右側）による第１の色空間から第２の色空間への色変換を例示する図である。
【図２】従来技術に従う描画表示特性に適合する色変換を備えたビデオ復号器のアーキテクチャ（構成）を例示する図である。
【図３】本発明の代表的な実施形態に従う符号化方法のフローチャートを表す図である。
【図４】１つのオクタントの８つの頂点の位置を示す図である。
【図５】１つのオクタント（ｌａｙｅｒ_ｉｄ）を灰色で、その親オクタント（ｌａｙｅｒ_ｉｄ−１）を黒色で示す図である。
【図６Ａ】本発明の種々の実施形態に従う復号方法のフローチャートを表す図である。
【図６Ｂ】本発明の種々の実施形態に従う復号方法のフローチャートを表す図である。
【図７】本発明に従って色変換を符号化する符号化器を概略的に示す図である。
【図８】本発明に従って色変換を復号する復号器を概略的に示す図である。
【図９】本発明の代表的な実施形態に従うビデオ符号化／復号システムを概略的に示す図である。
【発明を実施するための形態】
【００１７】
本発明は、色変換を符号化する方法に関する。更に正確に述べると、本発明に従う方法には、復号器側において特定のディスプレイ（表示）環境へのカスタマイゼーションのために出力復号ピクチャの色サンプルをリマップすることを可能にする色マッピング情報を符号化することが含まれる。リマップとマップは、同義語として使用される。リマッピング処理は、ＲＧＢ色空間における復号サンプル値を目標サンプル値にマップする／リマップすることである。典型的には、マッピングは、ルマ（輝度）／クロマ（色度）色空間領域とＲＧＢ色空間領域のいずれにおいても表現され、復号ピクチャの色空間変換によって生成されたルマ／クロマ成分と各ＲＧＢ成分のいずれにも適用される。
【００１８】
図３は、本発明の代表的な且つ本発明を限定しない実施形態に従う符号化方法のフローチャートを表している。
【００１９】
ステップ１００において、色マップ済み出力復号ピクチャ・ビデオ信号特性を記述する第１のパラメータが、ストリーム内において、例えば後述のＳＥＩメッセージ内において、符号化される。
【００２０】
ステップ１０２において、色変換を記述する第２のパラメータが、ストリーム内において、例えばＳＥＩメッセージ内において、符号化される。
【００２１】
このような色変換メタデータを符号化することによって、美術的な意図（固有で独自のＴＶセットの後処理の使用に代わる、あるいは、その使用に追加される、いわゆる「ディレクタのモード／ビジョン」）を保持することが可能になり、また、（例えば、ＵＨＤＴＶ  Ｒｅｃ.２０２０のような品質の等級がより高いコンテンツについて）送信符号化ビデオを高度化することが可能になるが、後者は、ディスプレイがこのような高度化データとビークル・コンテンツ色情報とを表示できる場合であり、且つ、取り組む／対象とする原色が、実際のコンテンツ全領域よりも遥かに広い（例えばＲｅｃ.２０２０の）全領域を使用可能にする場合である。また、美術的な意図を保持しながら、広い色全領域等級のコンテンツ（例えばＲｅｃ.２０２０カラリスト・グレード（色等級））を優美に（例えばＲｅｃ.７０９カラリスト・グレードに）劣化させることも可能になる。
【００２２】
代表的な実施形態を、ＩＴＵ―Ｔ  ＳＧ１６  ＷＰ３及びＩＳＯ／ＩＥＣ  ＪＴＣ１／ＳＣ２９／ＷＧ１１のビデオ符号化に関する合同共同チーム（Ｊｏｉｎｔ  Ｃｏｌｌａｂｏｒａｔｉｖｅ  Ｔｅａｍ  ｏｎ  Ｖｉｄｅｏ  Ｃｏｄｉｎｇ  (ＪＣＴ-ＶＣ)）のドキュメントＪＣＴＶＣ―Ｌ１００３に規定されたＨＥＶＣ符号化規格のフレームワーク内で、あるいは、ＩＴＵ―Ｔ  ＳＧ１６  ＷＰ３及びＩＳＯ／ＩＥＣ  ＪＴＣ１／ＳＣ２９／ＷＧ１１のビデオ符号化に関する合同共同チームのドキュメントＪＣＴＶＣ―Ｌ１００８に規定されたＨＥＶＣ符号化規格のスケーラブル拡張であるＳＨＶＣ符号化規格のフレームワーク内で、あるいは、ＩＴＵ―Ｔ  ＳＧ１６  ＷＰ３及びＩＳＯ／ＩＥＣ  ＪＴＣ１／ＳＣ２９／ＷＧ１１のビデオ符号化に関する合同共同チームのドキュメントＪＣＴＶＣ―Ｌ１００５に規定されたＨＥＶＣ符号化規格のレンジ拡張であるＲＥｘｔのフレームワーク内で、提案する。１つの規格は、符号化データの任意のストリームが、この規格に対して互換性を有するために、準拠すべきシンタックスを規定している。このシンタックスは、特に、種々の項目の情報（例えば、シーケンス内に含まれるピクチャ、動きベクトルなどに関するデータ）をどのように符号化するかを規定している。ＳＨＶＣ符号化規格に関して述べると、色変換は、ＰＰＳ、ＶＰＳ、あるいは、ＳＥＩメッセージ（ＳＥＩは「Ｓｕｐｐｌｅｍｅｎｔａｌ  Ｅｎｈａｎｃｅｍｅｎｔ  Ｉｎｆｏｒｍａｔｉｏｎ（補足強化情報）」を表す）内において符号化できる。ＲＥｘｔ符号化規格に関して述べると、色変換は、ＳＥＩメッセージ（ＳＥＩは「Ｓｕｐｐｌｅｍｅｎｔａｌ  Ｅｎｈａｎｃｅｍｅｎｔ  Ｉｎｆｏｒｍａｔｉｏｎ」を表す）内において符号化できる。
【００２３】
別の有益な実施形態に従えば、色変換は、ＳＥＩメッセージ（ＳＥＩは「Ｓｕｐｐｌｅｍｅｎｔａｌ  Ｅｎｈａｎｃｅｍｅｎｔ  Ｉｎｆｏｒｍａｔｉｏｎ」を表す）内において符号化される。具体的な代表例として、ＨＥＶＣ規格は、そのＡｎｎｅｘ  Ｄにおいて、ＳＥＩと称される付加的情報を符号化する方法を規定している。この付加的情報は、シンタックスにおいて、ｐａｙｌｏａｄＴｙｐｅと呼ばれるフィールドによって参照される。
ＳＥＩメッセージは、例えば表示に関する処理に役立つ。尚、復号機器がその使用に必要な機能を所有していない場合、この情報は無視される。本発明の特定の実施形態に従えば、色変換に関する付加的情報を符号化するために、新たなタイプのＳＥＩメッセージが規定される。この目的のために、フィールドｐａｙｌｏａｄＴｙｐｅについての新たな値が、未使用の値の中から規定される（例えば、ｐａｙｌｏａｄＴｙｐｅは２４とされる）。
【００２４】
ＳＥＩデータ（すなわち、ｓｅｉ_ｐａｙｌｏａｄ）のシンタックスは、次のように拡張される。
【表１】
2019062572.tif 000003
この場合、ＳＥＩメッセージには、色マップ済み出力復号ピクチャ・ビデオ信号特性を記述する第１のパラメータと、色変換を記述する第２のパラメータと、が含まれている。色マップ済み出力復号ピクチャは、色変換によってリマップされた／マップされた／変換されたピクチャである。利点として、ＳＥＩメッセージには、色変換のタイプ（３Ｄ  ＬＵＴ、マトリクス付き３つの１Ｄ  ＬＵＴ、マトリクス・・・など）を指示する付加的シンタックス要素ｃｏｌｏｕｒ_ｍａｐ_ｍｏｄｅｌ_ｉｄが含まれている。下の表１Ｂは、そのような指示の一例である。
【表１Ｂ】
2019062572.tif 000004
このシンタックス要素は、例えば、次のＳＥＩメッセージ内におけるようにｃｏｌｏｒ_ｍａｐ_ｉｄ要素の後に符号化されたｃｏｌｏｕｒ_ｍａｐ_ｍｏｄｅｌ_ｉｄである。一変形実施形態では、シンタックス要素ｃｏｌｏｕｒ_ｍａｐ_ｍｏｄｅｌ_ｉｄは、ｃｏｌｏｕｒ_ｔｒａｎｓｆｏｒｍ  ()内の最初の要素である。
2019062572.tif 000005
【００２５】
利点として、シンタックス要素ｃｏｌｏｕｒ_ｍａｐ_ｍｏｄｅｌ_ｉｄと、場合によってはｃｏｌｏｕｒ_ｍａｐ_ｉｄとは、レンダラがカラー・メタデータを使用できるか、すなわち、レンダラが、ＳＥＩメッセージにおいて送信された色変換を適用できるかを調べるために使用される。レンダラがＳＥＩメッセージにおいて送信されたカラー・メタデータを使用できない場合、このＳＥＩメッセージは破棄される。各々が相異なる色変換を記述した複数のＳＥＩメッセージが送信される場合、それらのＳＥＩメッセージの一部が破棄され、その他のＳＥＩメッセージはレンダラによって使用されることがある。
【００２６】
色マップ済み出力復号ピクチャ・ビデオ信号特性を記述する第１のパラメータは、例えば、ｃｏｌｏｕｒ_ｍａｐ_ｖｉｄｅｏ_ｓｉｇｎａｌ_ｔｙｐｅ_ｐｒｅｓｅｎｔ_ｆｌａｇ、ｃｏｌｏｕｒ_ｍａｐ_ｖｉｄｅｏ_ｆｏｒｍａｔ、ｃｏｌｏｕｒ_ｍａｐ_ｖｉｄｅｏ_ｆｕｌｌ_ｒａｎｇｅ_ｆｌａｇ、ｃｏｌｏｕｒ_ｍａｐ_ｄｅｓｃｒｉｐｔｉｏｎ_ｐｒｅｓｅｎｔ_ｆｌａｇ、ｃｏｌｏｕｒ_ｍａｐ_ｐｒｉｍａｒｉｅｓ、ｃｏｌｏｕｒ_ｍａｐ_ｔｒａｎｓｆｅｒ_ｃｈａｒａｃｔｅｒｉｓｔｉｃｓ、ｃｏｌｏｕｒ_ｍａｐ_ｍａｔｒｉｘ_ｃｏｅｆｆｓである。ｃｏｌｏｕｒ_ｍａｐ_ｐｒｉｍａｒｉｅｓは、例えば、色マップ済み出力復号ピクチャ・ビデオ信号の原色のＣＩＥ１９３１座標を示す。第２のパラメータ（ｃｏｌｏｕｒ_ｔｒａｎｓｆｏｒｍ）は、色変換を記述しており、３×３ゲイン・マトリクス・プラス・３オフセット、あるいは、３ＤＬＵＴ、あるいは、色変換を記述するその他の任意のパラメータとすることができる。
【００２７】
レンダラは、それが表示できる１組のビデオ・フォーマットによって特徴付けられる。このＳＥＩメッセージの第１のパラメータは、レンダラによって使用されて、そのサポートされた出力ビデオ・フォーマットに対応する適切な信号変換が行われる。ｃｏｌｏｕｒ_ｍａｐ_ｐｒｉｍａｒｉｅｓがＲｅｃ.７０９色マップ済み出力復号ピクチャ・ビデオ信号を示す場合、レンダラは、Ｒｅｃ.７０９に対応する適切な描画ビデオ・フォーマットを選択する。
【００２８】
利点として、複数のＳＥＩメッセージが、図９に示されているように、符号化器Ｅｎｃによって、ビデオ・ビットストリーム内においてビデオ信号Ｉｅｎｃと共に符号化される。一例として、元のビデオ信号Ｉと、したがって出力復号ピクチャ・ビデオ信号とは、Ｒｅｃ.７０９に準拠しており、第１のＳＥＩメッセージＳＥＩ１が、このＲｅｃ.７０９出力復号ピクチャ・ビデオ信号をＲｅｃ.２０２０（すなわち、ＩＴＵ-Ｒ  ＢＴ２０２０）マップ済み出力復号ピクチャ・ビデオ信号に変換するための適切な変換Ｔ１と共に符号化され、また、第２のＳＥＩメッセージＳＥＩ２が、このＲｅｃ.７０９出力復号ピクチャ・ビデオ信号をＲｅｃ.６０１色マップ済み出力復号ピクチャ・ビデオ信号に変換するための適切な変換Ｔ２と共に符号化される。符号化信号（Ｉｅｎｃ＋ＳＥＩ１＋ＳＥＩ２）は、復号器Ｄｅｃに送られる。復号器Ｄｅｃは、ビデオ信号を出力復号ピクチャ・ビデオ信号Ｉｄｅｃと第１のＳＥＩメッセージＳＥＩ１と第２のＳＥＩメッセージＳＥＩ２とに復号する。この情報によって、Ｒｅｃ.７０９に準拠するレンダラＤｉｓｐ１が、Ｒｅｃ.７０９出力復号ピクチャ・ビデオ信号Ｉｄｅｃを表示し、したがってＳＥＩメッセージを破棄する。Ｒｅｃ.２０２０に準拠するレンダラＤｉｓｐ２が、Ｒｅｃ.２０２０色マップ済み出力復号ピクチャ・ビデオ信号を表示することになっており、したがって第１のＳＥＩメッセージＳＥＩ１を使用する。このレンダラＤｉｓｐ２は、第１のＳＥＩメッセージＳＥＩ１から復号された変換Ｔ１を適用して、Ｒｅｃ.７０９出力復号ピクチャ・ビデオ信号Ｉｄｅｃの色をマップして、色マップ済み出力復号ピクチャ・ビデオ信号Ｔ１（Ｉｄｅｃ）を表示する。もしこのレンダラが、ほぼＲｅｃ.２０２０に準拠するディスプレイであるならば、更に、このＲｅｃ.２０２０色マップ済み出力復号ピクチャ・ビデオ信号を自己の特性に適応化してもよい。
【００２９】
Ｒｅｃ.６０１に準拠するレンダラＤｉｓｐ３が、Ｒｅｃ.６０１色マップ済み出力復号ピクチャ・ビデオ信号を表示することになっており、したがって第２のＳＥＩメッセージＳＥＩ２を使用する。このレンダラＤｉｓｐ３は、第２のＳＥＩメッセージＳＥＩ２から復号された変換を適用してＲｅｃ.７０９出力復号ピクチャ・ビデオ信号Ｉｄｅｃの色をマップして、色マップ済み出力復号ピクチャ・ビデオ信号Ｔ２（Ｉｄｅｃ）を表示する。
【００３０】
図９では、１台の復号器Ｄｅｃが代表例として示されている。一変形実施形態に従えば、数台の復号器、例えば、各々のレンダラについて１台ずつが使用される。
【００３１】
このＳＥＩメッセージは、出力復号ピクチャの色サンプルをリマップして個別のディスプレイ環境に合うようにカスタマイズすることを可能にする情報を提供する。このリマップ処理は、ＲＧＢ色空間における符号化サンプル値を目標サンプル値にマップする。マッピング（マップ処理）は、ルマ（輝度）、あるいは、ＲＧＢ色空間の領域で表現され、したがって、ルマ成分、あるいは、復号ピクチャの色空間変換によって生成された各々のＲＧＢ成分に適用されるべきである。
【００３２】
復号色変換は、例えば（ＩＴＵ-Ｔ  ＳＧ１６  ＷＰ３のＪｏｉｎｔ  Ｃｏｌｌａｂｏｒａｔｉｖｅ  Ｔｅａｍ  ｏｎ  Ｖｉｄｅｏ  Ｃｏｄｉｎｇ  (ＪＣＴ-ＶＣ)のドキュメントＪＣＴＶＣ-Ｌ１００３  のセクション７.３.１.２に規定された）ＮＡＬ  Ｕｎｉｔ  Ｈｅａｄｅｒのインデックスｎｕｈ_ｌａｙｅｒ_ｉｄによって識別されるレイヤに属する復号ピクチャに適用される。
【００３３】
ｃｏｌｏｕｒ_ｍａｐ_ｉｄには、色マッピング・モデルの目的を識別するために使用してもよい識別番号が含まれている。ｃｏｌｏｕｒ_ｍａｐ_ｉｄの値は、アプリケーションによって決定されるように、使用してもよい。ｃｏｌｏｕｒ_ｍａｐ_ｉｄは、相異なるディスプレイ・シナリオ（表示状況）に適した色マッピング作業をサポートするために使用できる。例えば、ｃｏｌｏｕｒ_ｍａｐ_ｉｄの相異なる値が、相異なるディスプレイ・ビット・デプス（表示ビット深度）に対応することがある。
【００３４】
１に等しいｃｏｌｏｕｒ_ｍａｐ_ｃａｎｃｅｌ_ｆｌａｇは、その色マッピング情報ＳＥＩメッセージが出力順序における以前のあらゆる色マッピング情報ＳＥＩメッセージの持続的な有効性をキャンセルすることを示す。０に等しいｃｏｌｏｕｒ_ｍａｐ_ｃａｎｃｅｌ_ｆｌａｇは、色マッピング情報が持続することを示す。
【００３５】
ｃｏｌｏｕｒ_ｍａｐ_ｒｅｐｅｔｉｔｉｏｎ_ｐｅｒｉｏｄは、色マッピング情報ＳＥＩメッセージの持続的な有効性を規定するが、ｃｏｌｏｕｒ_ｍａｐ_ｉｄの同じ値を有する別の色マッピング情報ＳＥＩメッセージか、あるいは、符号化ビデオ・シーケンスの終了かがビット・ストリーム内に存在すべきピクチャ・オーダ・カウント（ピクチャ順序カウント）期間を規定してもよい。０に等しいｃｏｌｏｕｒ_ｍａｐ_ｒｅｐｅｔｉｔｉｏｎ_ｐｅｒｉｏｄは、色マッピング情報が現在の復号ピクチャのみに適用されることを規定する。
【００３６】
１に等しいｃｏｌｏｕｒ_ｍａｐ_ｒｅｐｅｔｉｔｉｏｎ_ｐｅｒｉｏｄは、色マッピング情報が、下記の条件のいずれかが真である時まで、出力順序において持続的に有効であることを規定する。      
・新たな符号化ビデオ・シーケンスが始まる。
・ｃｏｌｏｕｒ_ｍａｐ_ｉｄの同じ値を有する色マッピング情報ＳＥＩメッセージを含むアクセス・ユニット内のピクチャが、あるピクチャ・オーダ・カウント（ＰＯＣとして知られている）を有する出力であって、そのＰＯＣが、ＰｉｃＯｒｄｅｒＣｎｔ（ＣｕｒｒＰｉｃ）として示される現在の復号ピクチャのＰＯＣよりも大きい出力である。
【００３７】
０に等しい、あるいは、１に等しいｃｏｌｏｕｒ_ｍａｐ_ｒｅｐｅｔｉｔｉｏｎ_ｐｅｒｉｏｄは、ｃｏｌｏｕｒ_ｍａｐ_ｉｄの同じ値を有する別の色マッピング情報ＳＥＩメッセージが存在するかもしれない、あるいは、存在しないかもしれないことを示す。
【００３８】
１よりも大きいｃｏｌｏｕｒ_ｍａｐ_ｒｅｐｅｔｉｔｉｏｎ_ｐｅｒｉｏｄは、色マッピング情報が、下記の条件のいずれかが真である時まで、持続的に有効であることを規定する。
・新たな符号化ビデオ・シーケンスが始まる。
・ｃｏｌｏｕｒ_ｍａｐ_ｉｄの同じ値を有する色マッピング情報ＳＥＩメッセージを含むアクセス・ユニット内のピクチャが、ＰｉｃＯｒｄｅｒＣｎｔ（ＣｕｒｒＰｉｃ）よりも大きく、且つ、ＰｉｃＯｒｄｅｒＣｎｔ（ＣｕｒｒＰｉｃ）＋ｃｏｌｏｕｒ_ｍａｐ_ｒｅｐｅｔｉｔｉｏｎ_ｐｅｒｉｏｄよりも小さいか、あるいは、それに等しいＰＯＣを有する出力である。
【００３９】
１よりも大きいｃｏｌｏｕｒ_ｍａｐ_ｒｅｐｅｔｉｔｉｏｎ_ｐｅｒｉｏｄは、ｃｏｌｏｕｒ_ｍａｐ_ｉｄの同じ値を有する別の色マッピング情報ＳＥＩメッセージが、ＰｉｃＯｒｄｅｒＣｎｔ（ＣｕｒｒＰｉｃ）よりも大きく、且つ、ＰｉｃＯｒｄｅｒＣｎｔ（ＣｕｒｒＰｉｃ）＋ｃｏｌｏｕｒ_ｍａｐ_ｒｅｐｅｔｉｔｉｏｎ_ｐｅｒｉｏｄよりも小さいか、あるいは、それに等しいＰＯＣを有する出力であるアクセス・ユニット内のピクチャについて、存在すべきであることを示すが、但し、これは、ビット・ストリームが終了しない場合、あるいは、新たな符号化ビデオ・シーケンスがそのようなピクチャの出力なしでは始まらない場合である。
【００４０】
ｃｏｌｏｕｒ_ｍａｐ_ｖｉｄｅｏ_ｓｉｇｎａｌ_ｔｙｐｅ_ｐｒｅｓｅｎｔ_ｆｌａｇ、ｃｏｌｏｕｒ_ｍａｐ_ｖｉｄｅｏ_ｆｏｒｍａｔ、ｃｏｌｏｕｒ_ｍａｐ_ｖｉｄｅｏ_ｆｕｌｌ_ｒａｎｇｅ_ｆｌａｇ、ｃｏｌｏｕｒ_ｍａｐ_ｄｅｓｃｒｉｐｔｉｏｎ_ｐｒｅｓｅｎｔ_ｆｌａｇ、ｃｏｌｏｕｒ_ｍａｐ_ｐｒｉｍａｒｉｅｓ、ｃｏｌｏｕｒ_ｍａｐ_ｔｒａｎｓｆｅｒ_ｃｈａｒａｃｔｅｒｉｓｔｉｃｓ、ｃｏｌｏｕｒ_ｍａｐ_ｍａｔｒｉｘ_ｃｏｅｆｆｓのセマンティック（意味）は、それぞれ、（ＩＴＵ-Ｔ  Ｈ.２６５のＡｎｎｅｘ  Ｅで規定された）ＶＵＩにおけるシンタックス要素ｖｉｄｅｏ_ｓｉｇｎａｌ_ｔｙｐｅ_ｐｒｅｓｅｎｔ_ｆｌａｇ、ｖｉｄｅｏ_ｆｏｒｍａｔ、ｖｉｄｅｏ_ｆｕｌｌ_ｒａｎｇｅ_ｆｌａｇ、ｃｏｌｏｕｒ_ｄｅｓｃｒｉｐｔｉｏｎ_ｐｒｅｓｅｎｔ_ｆｌａｇ、ｃｏｌｏｕｒ_ｐｒｉｍａｒｉｅｓ、ｔｒａｎｓｆｅｒ_ｃｈａｒａｃｔｅｒｉｓｔｉｃｓ、ｍａｔｒｉｘ_ｃｏｅｆｆｓのセマンティック（意味）と同じである。これらのシンタックス要素は、ＶＵＩにおいては入力ビデオ信号特性を記述するために使用されるが、しかしながら、本発明においては、利点として、色マップ済み出力復号ピクチャ・ビデオ信号特性を記述するために使用される。
【００４１】
一変形実施形態に従えば、複数の（すなわち、少なくとも２つの）色変換が、１つの同じＳＥＩメッセージ内において符号化される。この場合、第１のパラメータは、連続する色変換によってリマップされる色出力復号ピクチャ・ビデオ信号特性を記述する。一例として、表２Ａ内において、３つの色変換が符号化される。これらの色変換は、連続的に適用される。第１のパラメータは、ｃｏｌｏｒ_ｔｒａｎｓｆｏｒｍ１()によってリマップされ、その後に続くｃｏｌｏｒ_ｔｒａｎｓｆｏｒｍ２  ()によってリマップされ、更にその後に続くｃｏｌｏｒ_ｔｒａｎｓｆｏｒｍ３  ()によってリマップされる色出力復号ピクチャのビデオ信号特性を記述する。
【表２Ａ】
2019062572.tif 000006
【００４２】
一例として、連続的に適用される４つの色変換が符号化される。３つの第１の色変換は３つの１Ｄ  ＬＵＴであり、４番目の色変換は関数Ｍａｔｒｉｘ_Ｇａｉｎ_Ｏｆｆｓｅｔ  ()である。具体的な代表例として、色出力復号ピクチャは３つの成分ｙ’ＣｂＣｒ又はＲ'Ｇ'Ｂ'から成り、各々の１Ｄ色ＬＵＴは１つの色成分に関する。３ＤＬＵＴを色出力復号ピクチャの成分に適用する代わりに、１つの１ＤＬＵＴを別個に各々の色成分に適用する。このソリューションによって、補間がより簡単になり、したがって、所要メモリ量が低減する。しかしながら、これによって、成分マッピング相関性が壊される。３つの１Ｄ色ＬＵＴの後に関数Ｍａｔｒｉｘ_Ｇａｉｎ_Ｏｆｆｓｅｔ  ()、例えば、３つのオフセットを有する３×３マトリクスを適用することによって、成分相関性及びオフセットを再導入して成分相互間の非相関性を補償することが可能になる。
【００４３】
一変形実施形態に従えば、第１組の第１のパラメータが、ｃｏｌｏｒ_ｔｒａｎｓｆｏｒｍ１  ()によってリマップされる色出力復号ピクチャのビデオ信号特性を記述し、第２組の第１のパラメータが、ｃｏｌｏｒ_ｔｒａｎｓｆｏｒｍ２  ()によってリマップされる色出力復号ピクチャのビデオ信号特性を記述し、第３組の第１のパラメータが、ｃｏｌｏｒ_ｔｒａｎｓｆｏｒｍ３  ()によってリマップされる色出力復号ピクチャのビデオ信号特性を記述する。したがって、レンダラは、連続的に３つの変換、あるいは、最初の２つの変換のみ、あるいは、最初の１つの変換のみを適用できる。
【００４４】
更にもう１つの変形実施形態に従えば、第１組の第１のパラメータが、複数の色変換によってリマップされる色出力復号ピクチャのビデオ信号特性を記述する。具体的には、第１のパラメータが、ｃｏｌｏｒ_ｔｒａｎｓｆｏｒｍ１（)によって、あるいは、ｃｏｌｏｒ_ｔｒａｎｓｆｏｒｍ２  ()によって、あるいは、ｃｏｌｏｒ_ｔｒａｎｓｆｏｒｍ３()によってリマップされる色出力復号ピクチャのビデオ信号特性を記述する。すなわち、相異なる色変換が、色出力復号ピクチャを同じ色空間に向けてリマップする。レンダラは、これらの複数の色変換のうちの１つだけを適用する。適用される色変換の選択は、レンダラによって、例えば、その演算アーキテクチャの能力及び／又はその組込み回路構成に従って、行われる。一例として、下記の表２Ｂ内において、２つの色変換が符号化される。一方は３ＤＬＵＴによって代表されており、他方は、表９に規定されているようなマトリクス及びオフセットによって代表されている。レンダラは、この２つの変換を連続的に適用する代わりに、それらのうちの一方のみを適用する。この場合、第１のパラメータは、３Ｄ_ＬＵＴ_ｃｏｌｏｕｒ_ｄａｔａ  (  )によって、あるいは、Ｍａｔｒｉｘ_Ｇａｉｎ_Ｏｆｆｓｅｔ  ()によってリマップされる色出力復号ピクチャのビデオ信号特性を記述する。
【表２Ｂ】
2019062572.tif 000007
【００４５】
表１におけるｃｏｌｏｕｒ_ｔｒａｎｓｆｏｒｍ  ()、表２Ａにおけるｃｏｌｏｒ_ｔｒａｎｓｆｏｒｍ１  ()、ｃｏｌｏｒ_ｔｒａｎｓｆｏｒｍ２  ()、あるいは、ｃｏｌｏｕｒ_ｔｒａｎｓｆｏｒｍ３  ()は、例えば、表３又は４の関数３Ｄ_ＬＵＴ_ｃｏｌｏｕｒ_ｄａｔａ  ()によって、あるいは、表９の関数Ｍａｔｒｉｘ_Ｇａｉｎ_Ｏｆｆｓｅｔ  ()によって規定される。
【００４６】
表２Ｂ内における色変換は、例えば、表３、４及び９の色変換から導出される。しかしながら、変換のタイプ（３ＤＬＵＴ、マトリクスを有する１ＤＬＵＴ、マトリクス・・・など）を示す追加のシンタックス要素ｃｏｌｏｕｒ_ｍａｐ_ｍｏｄｅｌ_ｉｄが符号化される。シンタックス要素ｃｏｌｏｕｒ_ｍａｐ_ｍｏｄｅｌ_ｉｄは、例えば、一般的なｃｏｌｏｕｒ_ｔｒａｎｓｆｏｒｍ  ()における最初の要素である。
【表３】
2019062572.tif 000008
【００４７】
ｎｂｐＣｏｄｅは、表５において該ｎｂｐＣｏｄｅの所与の値について一覧表示されているような３ＤＬＵＴのサイズを示す。
【００４８】
一変形実施形態に従えば、３Ｄ_ＬＵＴ_ｃｏｌｏｕｒ_ｄａｔａ  ()は、以下のように表４において規定される。
【表４】
2019062572.tif 000009
【００４９】
ｎｂｐＣｏｄｅは、表５において該ｎｂｐＣｏｄｅの所与の値について一覧表示されているような３ＤＬＵＴのサイズを示す。量子化値（ｑｕａｎｔｉｚｅｒ  ｖａｌｕｅ）は、３Ｄ_ＬＵＴ_ｃｏｌｏｕｒ_ｄａｔａ  ()関数によって符号化できる。
【００５０】
ＮｂｉｔｓＰｅｒＳａｍｐｌｅは、色値を表すために使用されるビット数、すなわち、３ＤＬＵＴサンプルのビット深度を示す。
【表５】
2019062572.tif 000010
【００５１】
３ＤＬＵＴ復号の出力は、サイズｎｂｐ×ｎｂｐ×ｎｂｐの３次元アレイＬＵＴである。各々のＬＵＴアレイ要素は、頂点（ｖｅｒｔｅｘ）と呼ばれて、（ＮｂｉｔｓＰｅｒＳａｍｐｌｅ）に等しいビット深度の３つの復元サンプル値（ｒｅｃＳａｍｐｌｅｓＹ、ｒｅｃＳａｍｐｌｅｓＵ、ｒｅｃＳａｍｐｌｅｓＶ）に対応付けられる。頂点ｌｕｔ  [ｉ]［ｊ］［ｋ］は、もしｉ％（ｎｂｐ＞＞ｌａｙｅｒ_ｉｄ）、ｊ％（ｎｂｐ＞＞ｌａｙｅｒ_ｉｄ）、ｋ％（ｎｂｐ＞＞ｌａｙｅｒ_ｉｄ）の値がゼロに等しいならば、レイヤｌａｙｅｒ_ｉｄに属していると言う。１つの頂点が複数のレイヤに属していることがある。レイヤｌａｙｅｒ_ｉｄのオクタント（ｏｃｔａｎｔ）は、ｌａｙｅｒ_ｉｄに属している８つの隣接する頂点によって構成される（図４）。
【００５２】
オクタント（ｌａｙｅｒ_ｉｄ,  ｙ,ｕ,ｖ）の復号は、表６に示されているような帰納関数である。
【表６】
2019062572.tif 000011
【００５３】
ｓｐｌｉｔ_ｆｌａｇは、１つのオクタントが、半分の水平方向及び垂直方向のサイズを有する複数のオクタントに分割されるか否かを規定する。値（ｙ,ｕ,ｖ）は、３ＤＬＵＴにおける最初の頂点の位置を規定する。
【００５４】
各々のオクタントは、残差成分値（ｒｅｓＹ［ｉ]、ｒｅｓＵ［ｉ]、ｒｅｓＶ［ｉ]）が符号化されるか、あるいは、全てがゼロであると推測されるかを示すフラグ(ｅｎｃｏｄｅｄ_ｆｌａｇ[ｉ]）に対応付けられた８つの頂点（ｉ＝０、・・・７）から構成される。成分値は、成分値の予測に残差を加算することによって復元される。成分値の予測は、例えば、ｌａｙｅｒ_ｉｄ-１（図５）の８つの隣接する頂点のトリリニア補間（ｔｒｉ-ｌｉｎｅａｒ  ｉｎｔｅｒｐｏｌａｔｉｏｎ）を用いて算出される。頂点は、一旦復元されると、復元済みとして記される。
【表７】
2019062572.tif 000012
【００５５】
ｌａｙｅｒ＝ｌａｙｅｒ_ｉｄのオクタントに属する頂点（（ｙ＋ｄｙ  [ｉ]）、（ｕ＋ｄｕ  [ｉ]）、（ｖ＋ｄｖ  [ｉ]））についての復元３Ｄ色ＬＵＴサンプル（ｒｅｃＳａｍｐｌｅｓＹ［ｉ]、ｒｅｃＳａｍｐｌｅｓＵ［ｉ]、ｒｅｃＳａｍｐｌｅｓＶ［ｉ]）は、
ｒｅｃＳａｍｐｌｅｓＹ  [ｉ]  ＝ｒｅｓＹ  [ｉ]＋ｐｒｅｄＳａｍｐｌｅｓＹ  [ｉ]
ｒｅｃＳａｍｐｌｅｓＵ  [ｉ]  ＝ｒｅｓＵ  [ｉ]＋ｐｒｅｄＳａｍｐｌｅｓＵ  [ｉ]
ｒｅｃＳａｍｐｌｅｓＶ  [ｉ]  ＝ｒｅｓＶ  [ｉ]＋ｐｒｅｄＳａｍｐｌｅｓＶ  [ｉ]
によって与えられ、ここで、ｐｒｅｄＳａｍｐｌｅＹ[ｉ]、ｐｒｅｄＳａｍｐｌｅｓＵ  [ｉ]及びｐｒｅｄＳａｍｐｌｅｓＶ  [ｉ]  の値は、現在のオクタントを含むｌａｙｅｒ＝ｌａｙｅｒ_ｉｄ-１のオクタントの８つの頂点についてトリリニア補間を用いて導出される。
【００５６】
第１の一変形実施形態に従えば、利点として、上述のＳＥＩメッセージ内の３Ｄ_ＬＵＴ_ｃｏｌｏｕｒ_ｄａｔａ()は、３つの１ＤＬＵＴを記述するパラメータＴｈｒｅｅ_１Ｄ_ＬＵＴ_ｃｏｌｏｕｒ_ｄａｔａ()によって取って代わられる。
【００５７】
第２の一変形実施形態に従えば、利点として、上述のＳＥＩメッセージ内の３Ｄ_ＬＵＴ_ｃｏｌｏｕｒ_ｄａｔａ()は、表８及び表９に示されたような３×３ゲイン・マトリクス・プラス・３オフセットのような色変換を記述するパラメータによって取って代わられる。表１内のｃｏｌｏｕｒ_ｔｒａｎｓｆｏｒｍ  ()、表２ｂ内のｃｏｌｏｒ_ｔｒａｎｓｆｏｒｍ１  ()、ｃｏｌｏｒ_ｔｒａｎｓｆｏｒｍ２  ()、あるいは、ｃｏｌｏｕｒ_ｔｒａｎｓｆｏｒｍ３  ()は、例えば、表８の関数Ｍａｔｒｉｘ_Ｇａｉｎ_Ｏｆｆｓｅｔ  ()によって規定される。
【表８】
2019062572.tif 000013
【表９】
2019062572.tif 000014
【００５８】
Ｇａｉｎ[ｉ]はマトリクス係数の値を表し、Ｏｆｆｓｅｔ[ｉ]はオフセットの値を表す。
【００５９】
図６Ａは、本発明の代表的で非限定的な実施形態に従う復号方法のフローチャートを表している。
【００６０】
ステップ２００において、色マップ済み出力復号ピクチャ・ビデオ信号特性を記述する第１のパラメータが、ストリームから、例えば、上述の如く開示されたようなＳＥＩメッセージから復号される。
【００６１】
ステップ２０２において、色変換を記述する第２のパラメータが、ストリームから、例えば、ＳＥＩメッセージから復号される。
【００６２】
図６Ｂに示された一変形実施形態において、本方法には、更に、ストリームから色ピクチャを復号すること（ステップ２０４）と、色変換を用いて復号色ピクチャを色マップ済み出力復号ピクチャにリマップすること（ステップ２０６）と、が含まれている。次に、色マップ済み出力復号ピクチャが表示されてもよい。
【００６３】
具体的な非限定的な実施形態に従えば、色マップ済み出力復号ピクチャと第１のパラメータがディスプレイに送信される。第１のパラメータは、ディスプレイによって、色マップ済み出力復号ピクチャを解釈するために使用されてもよい。
【００６４】
図７は、ストリーム内において第１及び第２のパラメータを符号化するように構成された符号化器１の代表的なアーキテクチャ（構成）を表している。符号化器１には、データ及びアドレス・バス６４によって互いにリンクされた構成要素、すなわち、
・マイクロプロセッサ６１（すなわち、ＣＰＵ）、例えばＤＳＰ（すなわち、デジタル信号プロセッサ）と、
・ＲＯＭ（すなわち、リード・オンリ・メモリ）６２と、
・ＲＡＭ（すなわち、ランダム・アクセス・メモリ）６３と、
・１つ又は複数のＩ／Ｏ（入出力）機器６５、例えばキーボード、マウス、ウェブカメラと、
・電力供給源６６と、
が含まれている。
【００６５】
一変形実施形態に従えば、電力供給源６６は符号化器の外側にある。図７のこれらの構成要素の各々は、当業者に周知であり、これ以上は説明しない。上述のメモリの各々について本明細書で用いられる「レジスタ」という用語は、上述のメモリの各々において、小容量（一部のバイナリ・データ）のメモリ領域と大容量の（プログラム全体の記憶を可能にする、あるいは、演算されたデータを表すデータの全部又は一部分の表示を可能にする）メモリ領域の両方を意味している。ＲＯＭ６２は、プログラムと符号化パラメータを備えている。本発明に従う符号化方法のアルゴリズムは、ＲＯＭ６２に記憶されている。電源が投入されると、ＣＰＵ６１は、プログラム６２０をＲＡＭにアップロードして、対応する命令を実行する。
【００６６】
ＲＡＭ６３は、符号化器１の電源投入後にアップロードされてＣＰＵ６１によって実行されるプログラムをレジスタに備え、入力データを別のレジスタに備え、符号化方法の異なる状態における符号化データを更に別のレジスタに備え、符号化に用いられるその他の変数をまた更に別のレジスタに備える。
【００６７】
図８は、ストリームから得られる第１のパラメータと第２のパラメータとを復号するように構成された復号器２の代表的なアーキテクチャを表している。復号器２には、データ及びアドレス・バス７４によって互いにリンクされた構成要素、すなわち、
・マイクロプロセッサ７１（すなわち、ＣＰＵ）、例えばＤＳＰ（すなわち、デジタル信号プロセッサ）と、
・ＲＯＭ（すなわち、リード・オンリ・メモリ）７２と、
・ＲＡＭ（すなわち、ランダム・アクセス・メモリ）７３と、
・データをアプリケーションから受信して送信するＩ／Ｏインタフェース７５と、
・バッテリ７６と、
が含まれている。
【００６８】
一変形実施形態に従えば、バッテリ７６は復号器の外側にある。図８のこれらの構成要素の各々は、当業者に周知であり、これ以上は説明しない。上述のメモリの各々について本明細書で用いられる「レジスタ」という用語は、小容量（数ビット）の領域、あるいは、非常に大きい領域（例えば、プログラム全体、あるいは、大量の受信データ又は復号データ）に対応し得る。ＲＯＭ７２は、少なくとも１つのプログラムと、復号器パラメータとを備えている。本発明に従う復号方法のアルゴリズムは、ＲＯＭ７２に記憶されている。電源が投入されると、ＣＰＵ７１は、プログラム７２０をＲＡＭにアップロードして、対応する命令を実行する。
【００６９】
ＲＡＭ７３は、復号器２の電源投入後にアップロードされてＣＰＵ７１によって実行されるプログラムをレジスタに備え、入力データを別のレジスタに備え、復号方法の異なる状態における復号データを更に別のレジスタに備え、復号に用いられるその他の変数をまた更に別のレジスタに備える。
【００７０】
第１及び第２のパラメータの復号の後、色変換を用いた復号色ピクチャのリマップは、セットトップ・ボックス又はブルーレイ・プレーヤ内の復号器よって行われてもよい。この場合、色マップ済み出力復号ピクチャと第１のパラメータ又はその一部とは、（例えば、ＨＤＭＩ（登録商標）、ＳＤＩ、Ｄｉｓｐｌａｙ  Ｐｏｒｔ、ＤＶＩを用いて）ディスプレイに送信されてもよい。次に、ディスプレイは、第１のパラメータを用いて色マップ済み出力復号ピクチャを解釈して描画してもよい。一変形実施形態においては、色変換を用いた復号色ピクチャのリマップは、ＴＶセット内、具体的には、内蔵復号器内で行われる。この場合、第１のパラメータを用いて色マップ済み出力復号ピクチャを解釈して描画を行う。
【００７１】
本明細書において説明された実施形態は、例えば、方法、プロセス、装置、ソフトウェア・プログラム、データ・ストリーム、あるいは、信号において、実施されてもよい。説明された特徴の実施は、それがたとえ単一の形の実施形態のコンテキスト（文脈）のみで説明されたとしても（例えば、方法又は機器としてのみ説明されたとしても）、その他の形（例えば、プログラム）でも実施されてもよい。装置は、例えば、適切なハードウェア、ソフトウェア及びファームウェアを用いて、実施してもよい。方法は、例えば、装置を用いて、例えば、コンピュータ、マイクロプロセッサ、集積回路、あるいは、プログラマブル・ロジック・デバイスを含む処理機器を一般的に意味する例えばプロセッサを用いて、実施してもよい。プロセッサには、例えば、コンピュータ、セル・フォン、ポータブル／パーソナル・ディジタル・アシスタント（「ＰＤＡ」）のような通信機器、及び、エンドユーザ相互間の情報の通信を容易にするその他の機器も含まれる。
【００７２】
本明細書に説明された種々のプロセス及び特徴の実施は、様々な相異なる装置又はアプリケーションにおいて、特に、例えば、装置又はアプリケーションにおいて、具現化されてもよい。そのような装置の例には、符号化器、復号器、復号器からの出力を処理するポスト・プロセッサ、符号化器に入力を供給するプレ・プロセッサ、ビデオ・コーダ、ビデオ・デコーダ、ビデオ・コーデック、ウェブ・サーバ、セットトップ・ボックス、ラップトップ、パーソナル・コンピュータ、セル・フォン、ＰＤＡ、及び、その他の通信機器が含まれる。明らかなことであるが、これらの装置は、可動性を有してもよく、移動車両に搭載することさえも可能である。
【００７３】
更に、方法は、プロセッサによって行われる命令によって実施されてもよく、そのような命令（及び／又は、実施形態によって生成されるデータ値）は、プロセッサ可読媒体に記憶されてもよく、そのようなプロセッサ可読媒体は、例えば、集積回路、ソフトウェア搬送又はその他の記憶機器、例えば、ハード・ディスク、コンパクト・ディスケット（「ＣＤ」）、光ディスク（例えば、しばしばデジタル多用途ディスク又はデジタル・ビデオ・ディスクと呼ばれるＤＶＤ）、ランダム・アクセス・メモリ（「ＲＡＭ」）、あるいは、リード・オンリ・メモリ（「ＲＯＭ」）である。命令は、プロセッサ可読媒体に明確に組み入れられたアプリケーション・プログラムを構成してもよい。命令は、例えば、ハードウェア、ファームウェア、ソフトウェア、あるいは、それらの組み合わせの中に入れられてもよい。命令は、例えば、オペレーティング・システム、個別のアプリケーション、あるいは、両者の組み合わせの中に存在してもよい。したがって、プロセッサは、例えば、プロセスを実行するように構成されたデバイスと、プロセスを実行するための命令を有する（記憶装置のような）プロセッサ可読媒体を備えたデバイスとの両方を兼ねたものとして見なされてもよい。更に、プロセッサ可読媒体は、実施形態によって生成されたデータ値を、命令に加えて又は命令の代わりに、記憶してもよい。
【００７４】
当業者には明らかであろうが、実施形態は、例えば、記憶又は送信可能な情報を搬送するようにフォーマット化された種々の信号を生成してもよい。この情報には、例えば、方法を実施するための命令、あるいは、説明された実施形態の１つによって生成されたデータが含まれてもよい。例えば、信号は、説明された実施形態のシンタックスを書く又は読むための規則をデータとして搬送するように、あるいは、説明された実施形態によって書かれた実際のシンタックス値をデータとして搬送するようにフォーマット化されてもよい。そのような信号は、例えば、（例えば、スペクトルの無線周波数部分を用いて）電磁波として、あるいは、ベースバンド信号としてフォーマット化されてもよい。このフォーマット化には、例えば、データ・ストリームを符号化すること、及び、搬送波を符号化データ・ストリームで変調することが含まれてもよい。この信号が搬送する情報は、例えば、アナログ情報又はデジタル情報であってもよい。この信号は、周知の如く、種々の相異なる有線又は無線リンクを介して送信されてもよい。この信号は、プロセッサ可読媒体に記憶されてもよい。
【００７５】
以上、いくつかの実施形態を説明した。しかしながら、種々の修正を加えてもよいことが理解されるであろう。例えば、相異なる実施形態の構成要素を組み合わせる、補う、修正する、あるいは、取り去ることによって別の実施形態を実現してもよい。更に、当業者であれば、ここに開示された構成及びプロセスの代わりに別のものを用いてもよく、その結果得られる実施形態が、少なくとも実質的に同じ機能を、少なくとも実質的に同じやり方で、果たして、開示された実施形態と少なくとも実質的に同じ成果を実現できることが理解できるであろう。これに従って、本願は、これらの実施形態及びその他の実施形態を熟慮している。
【図１】
2019062572.tif 000015
【図２】
2019062572.tif 000016
【図３】
2019062572.tif 000017
【図４】
2019062572.tif 000018
【図５】
2019062572.tif 000019
【図６Ａ】
2019062572.tif 000020
【図６Ｂ】
2019062572.tif 000021
【図７】
2019062572.tif 000022
【図８】
2019062572.tif 000023
【図９】
2019062572.tif 000024
【手続補正書】
【提出日】平成31年1月21日(2019.1.21)
【手続補正１】
【補正対象書類名】明細書
【補正対象項目名】００７５
【補正方法】変更
【補正の内容】
【００７５】
以上、いくつかの実施形態を説明した。しかしながら、種々の修正を加えてもよいことが理解されるであろう。例えば、相異なる実施形態の構成要素を組み合わせる、補う、修正する、あるいは、取り去ることによって別の実施形態を実現してもよい。更に、当業者であれば、ここに開示された構成及びプロセスの代わりに別のものを用いてもよく、その結果得られる実施形態が、少なくとも実質的に同じ機能を、少なくとも実質的に同じやり方で、果たして、開示された実施形態と少なくとも実質的に同じ成果を実現できることが理解できるであろう。これに従って、本願は、これらの実施形態及びその他の実施形態を熟慮している。
上記実施形態の一部又は全部は、以下の付記のようにも記載されうるが、以下には限られない。
（付記１）
少なくとも１つの色変換を符号化する方法であって、
前記少なくとも１つの色変換によってリマップされる色出力復号ピクチャのビデオ信号特性を表す第１のパラメータを符号化するステップ（１００）と、
前記少なくとも１つの色変換を表す第２のパラメータを符号化するステップ（１０２）と、
を含む方法。
（付記２）
前記第１及び第２のパラメータが補足強化情報メッセージ内において符号化される、付記１に記載の方法。
（付記３）
少なくとも第１及び第２の組の第２のパラメータが符号化され、前記第１の組が第１の色変換を表し、前記第２の組が第２の色変換を表し、前記第１のパラメータが、前記第１の色変換によってリマップされ、その後に前記第２の色変換によってリマップされる色出力復号ピクチャのビデオ信号特性を表す、付記１または２に記載の方法。
（付記４）
少なくとも１つの色変換を復号する方法であって、
前記少なくとも１つの色変換によってリマップされる色出力復号ピクチャのビデオ信号特性を表す第１のパラメータを復号するステップ（２００）と、
前記少なくとも１つの色変換を表す第２のパラメータを復号するステップ（２０２）と、
を含む、方法。
（付記５）
色ピクチャを復号するステップと、
前記少なくとも１つの色変換を用いて前記色復号ピクチャを色マップ済み出力復号ピクチャにリマップするステップと、
を更に含む、付記４に記載の方法。
（付記６）
前記色マップ済み出力復号ピクチャと前記第１のパラメータとを送信するステップを更に含む付記５に記載の方法。
（付記７）
前記第１及び第２のパラメータが補足強化情報メッセージから復号される、付記４から６のうちの任意の付記に記載の方法。
（付記８）
少なくとも第１及び第２の組の第２のパラメータが復号され、前記第１の組が第１の色変換を表し、前記第２の組が第２の色変換を表し、前記第１のパラメータが、前記第１の色変換によってリマップされ、その後に前記第２の色変換によってリマップされる色出力復号ピクチャのビデオ信号特性を表す、付記４から７のうちの任意の付記に記載の方法。
（付記９）
色マップ済み出力復号ピクチャと該色マップ済み出力復号ピクチャのビデオ信号特性を表す第１のパラメータとを受信するステップと、
前記第１のパラメータを用いて前記色マップ済み出力復号ピクチャを表示するステップと、
を含む表示の方法。
（付記１０）
少なくとも１つの色変換を符号化する符号化器であって、
前記少なくとも１つの色変換によってリマップされる色出力復号ピクチャのビデオ信号特性を表す第１のパラメータを符号化する手段と、  前記少なくとも１つの色変換を表す第２のパラメータを符号化する手段と、
を備えた符号化器。
（付記１１）
少なくとも１つの色変換を復号する復号器であって、
前記少なくとも１つの色変換によってリマップされる色出力復号ピクチャのビデオ信号特性を表す第１のパラメータを復号する手段と、
前記少なくとも１つの色変換を表す第２のパラメータを復号する手段と、
を備えた復号器。
（付記１２）
色ピクチャを復号する手段と、
前記少なくとも１つの色変換を用いて前記色ピクチャを色マップ済み出力復号ピクチャにリマップする手段と、
を更に備えた、付記１１に記載の復号器。
（付記１３）
前記色マップ済み出力復号ピクチャと前記第１のパラメータとを送信する手段を更に備えた、付記１２に記載の復号器。
（付記１４）
色マップ済み出力復号ピクチャと該色マップ済み出力復号ピクチャのビデオ信号特性を表す第１のパラメータとを受信する手段と、
前記第１のパラメータを用いて前記色マップ済み出力復号ピクチャを表示する手段と、
を備えた表示装置。
（付記１５）
少なくとも１つの色変換を表す符号化ビデオ信号であって、前記少なくとも１つの色変換によってリマップされる色出力復号ピクチャのビデオ信号特性を表す第１のパラメータと前記少なくとも１つの色変換を表す第２のパラメータとを含むビデオ信号。
（付記１６）
前記符号化ビデオ信号が補足強化情報メッセージである、付記１５に記載のビデオ信号。
（付記１７）
コンピュータのプログラムの製品であって、該プログラムがコンピュータ上で実行される際に、付記１から３の任意の付記に記載の符号化の方法のステップを実行するためのプログラム・コード命令を含むコンピュータ・プログラム製品。
（付記１８）
付記１から３の任意の付記に記載の符号化の方法の少なくともステップをプロセッサに行わせるための命令を記憶したプロセッサ可読媒体。
（付記１９）
コンピュータのプログラムの製品であって、該プログラムがコンピュータ上で実行される際に、付記４から８の任意の付記に記載の復号の方法のステップを実行するためのプログラム・コード命令を含むコンピュータ・プログラム製品。
（付記２０）
付記４から８の任意の付記に記載の復号の方法の少なくともステップをプロセッサに行わせるための命令を記憶したプロセッサ可読媒体。
【外国語明細書】
2019062572000001.pdf